(57)【要約】【課題】エレベータの据付時、エンドレスウィンチを用いて作業床を昇降させる場合に、エンドレスウェインチのワイヤロープの無荷重側を昇降路内において最適な位置に配置し、このワイヤロープの損傷や引っ掛かりを確実に防止する。【解決手段】ガイドレール３に案内されるかご枠４に据付用の作業床を設け、かご枠４及び作業床を昇降させるエンドレスウィンチ１１及び１２を、かご枠４に支持させる。また、かご枠４によって支持されたプーリ２２及び２３により、エンドレスウィンチ１１及び１２から繰り出されるワイヤロープ１４及び１５の無荷重側を昇降路１内に鉛直方向に垂下させる。そして、鉛直投影面上、その一部に閉空間が形成されるガイド装置２６をガイドレール３の下部に設置し、この閉空間にワイヤロープ１４及び１５の無荷重側の下部を貫通させることにより、この下部に生じる水平方向の変位を所定の範囲に拘束する。【選択図】図１
2009173386.tif 000002
【特許請求の範囲】
【請求項１】
エレベータの本設かごを案内するために、昇降路内に立設されたガイドレールと、
前記本設かごを支持するためのかご枠と、
据付作業員が乗って据付作業を行うために、前記かご枠に設けられた作業床と、
前記かご枠に支持され、ワイヤロープを巻き上げ及び巻き下げることにより、前記かご枠及び前記作業床を、前記ガイドレールに沿って昇降させるエンドレスウィンチと、
前記かご枠に支持され、前記エンドレスウィンチから繰り出される前記ワイヤロープの無荷重側を、前記昇降路内に鉛直方向に垂下させるプーリと、
前記ガイドレールの下部に設けられ、鉛直投影面上、その一部に閉空間が形成されるとともに、前記閉空間に前記ワイヤロープの無荷重側の下部が貫通されることにより、前記ワイヤロープの無荷重側の下部に生じる水平方向の変位を所定の範囲に拘束するガイド装置と、
を備えたことを特徴とするエレベータの据付装置。
【請求項２】
ガイド装置は、ワイヤロープの無荷重側の垂下部分がプーリから鉛直に垂下された場合に、鉛直投影面上、その一部に形成された閉空間内に、前記垂下部分が配置されることを特徴とする請求項１に記載のエレベータの据付装置。
【請求項３】
ガイド装置は、
一端部がガイドレールの下部に設けられ、他端部が前記ガイドレールの側方に突出する支持具と、
前記支持具の他端部に設けられ、鉛直投影面上形成される閉空間の少なくとも一部を構成するガイド具と、
を備えたことを特徴とする請求項１又は請求項２に記載のエレベータの据付装置。
【請求項４】
支持具は、ガイドレールの側方への突出量が調整自在となるように、前記ガイドレールの下部に設けられたことを特徴とする請求項３に記載のエレベータの据付装置。
【請求項５】
ガイド具は、ガイドレールとの距離が調整自在となるように、支持具の他端部に設けられたことを特徴とする請求項３に記載のエレベータの据付装置。
【請求項６】
支持具は、
ガイドレールの下部に設けられた第１リンク部材と、
一端部が、鉛直方向の回動軸を介して前記第１リンク部材に回動自在に設けられ、他端部にガイド具が設けられた第２リンク部材と、
を備えたことを特徴とする請求項２から請求項５の何れかに記載のエレベータの据付装置。
【請求項７】
ガイド装置は、ガイド具が支持具の他端部に取り付けられた状態のまま、ワイヤロープの無荷重側の下部を、鉛直投影面上形成された閉空間の側方から前記閉空間内に配置可能なことを特徴とする請求項３に記載のエレベータの据付装置。
【請求項８】
ガイド具は、
一端部が支持具の他端部に片持ち支持された第１棒状部材と、
一端部が前記支持具の他端部に片持ち支持され、その一部が、所定の間隙を有して前記第１棒状部材の直下部に配置された第２棒状部材と、
を備え、ワイヤロープの無荷重側の下部を、前記第１棒状部材及び前記第２棒状部材の各他端部側から、鉛直投影面上形成された閉空間内に配置可能なことを特徴とする請求項７に記載のエレベータの据付装置。
【発明の詳細な説明】
【技術分野】
【０００１】
この発明は、エレベータを建築物に据え付ける際に使用される据付装置に関するものである。
【背景技術】
【０００２】
建築物の昇降路にエレベータを据え付ける工法としては、従来から様々な方式のものが採用されている。
例えば、エレベータの据え付けに関する従来技術として、エレベータの本設のかご床（作業床）に、左右一対の仮設の立枠及び仮設の作業用手摺を取り付けるとともに、上記各立枠に一対のエンドレスウィンチを取り付け、上記かご床をこのエンドレスウィンチによって昇降させるものが提案されている（特許文献１参照）。
【０００３】
図１２は従来のエレベータの据付装置を用いてエレベータを据え付ける際の昇降路状態を示す正面図、図１３は図１２のＤ部を示す斜視図である。図１２及び図１３は、特許文献１に記載された工法を用いてエレベータを据え付ける際の昇降路状態と同じものを示している。
【０００４】
図１２及び図１３において、かご枠４には、エレベータの据付作業者が乗って作業を行うための作業床（例えば、仮設作業床７及び本設かごのかご床８）が設けられている。また、１１及び１２は、この作業床を昇降させるためのエンドレスウィンチである。
従来では、エンドレスウィンチ１１及び１２から繰り出されるワイヤロープ１４及び１５の無荷重側は、図１２及び図１３に示すように、昇降路壁４４に設けられたガイド装置４５によって案内されていた。即ち昇降路壁４４から突出するアンカーボルト４６を用いてベース板４７が固定され、このベース板４７に設けられた環状のガイド具４８に、ワイヤロープ１４及び１５の無荷重側が貫通されていた。
【０００５】
【特許文献１】特開２００７−２３０６６５号公報
【発明の開示】
【発明が解決しようとする課題】
【０００６】
従来では、ワイヤロープ１４及び１５の無荷重側が、昇降路内で斜めに配置されるため、ガイド装置４５がワイヤロープ１４及び１５から受ける負荷が大きく、また、ワイヤロープ１４及び１５のうち、ガイド具４８に接触する部分が摩耗（損傷）してしまうといった問題があった。
【０００７】
また、ワイヤロープ１４及び１５の無荷重側は、作業床の高さによってその配置が変わるため、ワイヤロープ１４及び１５に引っ掛かりが発生する恐れもあった。即ち、エレベータの据付時、昇降路内には、据付時のみ設置される様々な部材が存在する。また、昇降路内には、中間ビーム等、その配置を変更できないものも多数存在する。したがって、ワイヤロープ１４及び１５の引っ掛かりが生じ易く、また、このような引っ掛かりを回避するためには、昇降路内の各種部材の配置が著しく制限されるといった問題があった。
【０００８】
この発明は、上述のような課題を解決するためになされたもので、その目的は、エレベータの据付時、エンドレスウィンチを用いて作業床を昇降させる場合に、エンドレスウェインチのワイヤロープの無荷重側を昇降路内において最適な位置に配置することができ、このワイヤロープの損傷や引っ掛かりを確実に防止することができるエレベータの据付装置を提供することである。
【課題を解決するための手段】
【０００９】
この発明に係るエレベータの据付装置は、エレベータの本設かごを案内するために、昇降路内に立設されたガイドレールと、本設かごを支持するためのかご枠と、据付作業員が乗って据付作業を行うために、かご枠に設けられた作業床と、かご枠に支持され、ワイヤロープを巻き上げ及び巻き下げることにより、かご枠及び作業床を、ガイドレールに沿って昇降させるエンドレスウィンチと、かご枠に支持され、エンドレスウィンチから繰り出されるワイヤロープの無荷重側を、昇降路内に鉛直方向に垂下させるプーリと、ガイドレールの下部に設けられ、鉛直投影面上、その一部に閉空間が形成されるとともに、閉空間にワイヤロープの無荷重側の下部が貫通されることにより、ワイヤロープの無荷重側の下部に生じる水平方向の変位を所定の範囲に拘束するガイド装置と、を備えたものである。
【発明の効果】
【００１０】
この発明によれば、エレベータの据付時、エンドレスウィンチを用いて作業床を昇降させる場合に、エンドレスウェインチのワイヤロープの無荷重側を昇降路内において最適な位置に配置することができ、このワイヤロープの損傷や引っ掛かりを確実に防止することができるようになる。
【発明を実施するための最良の形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１におけるエレベータの据付装置を用いてエレベータを据え付ける際の昇降路状態を示す側面図、図２はその正面図である。図１及び図２において、１は建築物内に設けられたエレベータを据え付けるための昇降路、２は昇降路１の上方に設けられたエレベータ用の機械室である。
【００１３】
昇降路１には、本設かご（製品としてのかご）の昇降方向を案内する一対のガイドレール３が立設されている。図１及び図２は、本設かごが設置されていない時の状態を示している。即ち、本設かごは、図１及び図２に示す状態よりも後の据付工程において、昇降路１内に設置される。４はガイドレール３に案内されて昇降路１内を昇降するかご枠である。このかご枠４は、本設かごを支持するためのものである。即ち、かご枠４は四角環状を呈しており、本設かごの設置時に、本設かごの上下左右を取り囲むように配置される。なお、かご枠４には、ガイドレール３のガイド部を摺動するガイドシュー、或いは転動するガイドローラ（共に図示せず）が設けられている。
【００１４】
上記かご枠４には、エレベータの据付時、据付作業者が乗って作業を行うための作業床が固定される。エレベータの据付作業者は、この作業床に乗って昇降路１内を移動し、必要な機器類の設置や配線作業等を行う。図１及び図２には、かご枠４の上部の梁（上梁５）と下部の梁（下梁６）とに、それぞれ作業床が固定されているものが示されている。具体的には、上梁５に、エレベータ据付時のみ設けられる仮設作業床７が設けられている。また、下梁６には、本設かごの一部（床部）を形成するかご床８が設けられている。この仮設作業床７及びかご床８には、その周縁部に、据付作業員の転落を防止する手摺装置９及び１０が立設されている。
【００１５】
１１及び１２は、エレベータ据付時に、上記かご枠４や作業床をガイドレール３に沿って昇降させるための一対のエンドレスウィンチである。このエンドレスウィンチ１１及び１２は、かご枠４に支持される。図１及び図２では、一例として、エンドレスウィンチ１１及び１２が、仮設作業床７を介してかご枠４に支持されているものを示している。即ち、エンドレスウィンチ１１及び１２は、仮設作業床７の下面から吊られた支持台１３の上面に設置され、それぞれガイドレール３の間に配置されている。
【００１６】
次に、作業床を昇降させるために上記エンドレスウィンチ１１及び１２に巻き掛けられたワイヤロープ１４及び１５について説明する。
ワイヤロープ１４及び１５には、それぞれ、作業床やこの作業床上の作業員等の荷重が作用する荷重側と、これらの荷重が作用しない無荷重側とがある。このワイヤロープ１４及び１５の荷重側及び無荷重側は、作業床（エンドレスウィンチ１１及び１２）の高さによって、その長さが変化する。
【００１７】
ワイヤロープ１４及び１５の荷重側は、エンドレスウィンチ１１及び１２から上方に向かって鉛直に伸び、その端部（ワイヤロープ１４及び１５の上端部）が、昇降路１の最頂部や機械室２内の固定体に連結される。図１及び図２には、一例として、ワイヤロープ１４の荷重側端部が、本設巻上機１６を支持する機械台１７に、ワイヤロープ１５の荷重側端部が本設巻上機１６に連結されたものを示している。端部が上述のように固定されたワイヤロープ１４及び１５の各荷重側は、作業床の昇降が円滑に行われるように、ガイドレール３のガイド部間に配置されている。
【００１８】
作業床は、仮設作業床７に乗った据付作業者が、コントローラ１８を操作してエンドレスウィンチ１１及び１２を駆動することにより、昇降路１内を上下に移動する。即ち、エンドレスウィンチ１１及び１２がワイヤロープ１４及び１５を巻き上げることにより、ワイヤロープ１４及び１５の荷重側が短くなって作業床が上昇する。同様に、エンドレスウィンチ１１及び１２がワイヤロープ１４及び１５を巻き下げることにより、ワイヤロープ１４及び１５の荷重側が長くなって作業床が下降する。なお、１９はエンドレスウィンチ１１及び１２を制御するための制御盤、２０はこの制御盤１９と受電盤２１との間に接続された制御ケーブルである。
【００１９】
一方、ワイヤロープ１４及び１５の無荷重側は、エンドレスウィンチ１１及び１２から繰り出され、昇降路１内に垂下される。具体的に、このワイヤロープ１４及び１５の無荷重側は、エンドレスウィンチ１１及び１２から斜め上方に伸びて、かご枠４に支持されたプーリ２２及び２３に巻き掛けられ、下方に方向転換される。そして、このプーリ２２及び２３から無荷重側の端部（ワイヤロープ１４及び１５の下端部）に至る部分が、昇降路１内に垂下される。
【００２０】
ワイヤロープ１４及び１５の無荷重側のうち、プーリ２２及び２３から垂下された部分（以下、「垂下部分」ともいう）は、ガイドレール３に沿って鉛直方向に配置される。即ち、プーリ２２及び２３は、ワイヤロープ１４及び１５の無荷重側の要部が、ガイドレール３に沿って鉛直方向に配置され、作業床や手摺装置９及び１０、かご枠４等で構成される昇降体、並びに昇降路１内の固定体と干渉することがないように、適所（例えば、仮設作業床７の下面縁部）に配置される。
【００２１】
ワイヤロープ１４及び１５の無荷重側の端部には、この無荷重側に所定の張力を付与するための重り２４が連結されている。この重り２４は、作業床の昇降範囲を狭めることがないように配置される。即ち、ワイヤロープ１４及び１５の無荷重側は、昇降路１のピット部まで延ばされ、重り２４が、昇降路１のピット底面２５よりも所定距離上方に位置するように配置される。
【００２２】
なお、ワイヤロープ１４及び１５の各荷重側は、作用する荷重によって多少伸縮する。このため、ワイヤロープ１４及び１５の各全長は、エレベータの据付時、作業床の高さや作業床に作用する荷重によって変化する。即ち、作業床が昇降路１のピット部付近にある時よりも昇降路１の頂部付近にある時の方が、ワイヤロープ１４及び１５の全長は短い。したがって、作業床が昇降路１のピット部付近にある場合、重り２４はピット底面２５に接近した位置に配置される。また、作業床が昇降路１の頂部付近にある場合、重り２４はピット底面２５から離れた位置に配置される。
【００２３】
このように、作業床の高さによって重り２４の高さが変化するため、ワイヤロープ１４及び１５の無荷重側の垂下部分には、作業床が昇降することによって水平方向の振れが発生する。また、作業床に作用する荷重が変化すると、ワイヤロープ１４及び１５の荷重側に、よりが戻る等の現象、即ち自転が発生する。このような理由によっても、ワイヤロープ１４及び１５の無荷重側の垂下部分に水平方向の振れが生じてしまう。
ガイド装置２６は、エレベータの据付時に発生する、上記垂下部分の振れを抑制するための装置である。以下に、このガイド装置２６の構成について具体的に説明する。
【００２４】
図３は図１に示すＡ部平面図であり、上記ガイド装置２６の詳細を示したものである。
図１乃至図３において、ガイド装置２６は、ワイヤロープ１４及び１５の各無荷重側のうち、その端部付近（下部）に生じる水平方向の変位を所定の僅かな範囲内に拘束するために備えられている。なお、ワイヤロープ１４及び１５に対しては、同じ構成のガイド装置２６を用いることができるため、以下においては、ワイヤロープ１４に対するガイド装置２６についてのみ説明し、もう一方のガイド装置２６に関する説明は省略する。
【００２５】
ガイド装置２６は、作業床の昇降に伴い重り２４の高さが変化することを考慮し、重り２４に接触することがないように、昇降路１のピット部内に配置される。このガイド装置２６は、その要部が、例えば、ガイドレール３の下部に設けられた支持具２７と、この支持具２７に設けられたガイド具２８とから構成される。
【００２６】
支持具２７は、ガイド具２８を支持するとともに、このガイド具２８を、昇降路１内の所定位置に配置するための機能を有する。具体的に、支持具２７は、長板状の部材が所定の形状に折り曲げられることによって形成され、その一端部が、レールクリップ２９と、ボルト３０及びナット３１とによって、ピット部内のガイドレール３の背面に固定される。また、支持具２７は、その他端部側がワイヤロープ１４の無荷重側に向かってガイドレール３の側方に突出するように、水平に配置される。
【００２７】
ガイド具２８は、支持具２７の他端部に設けられることにより、ワイヤロープ１４の無荷重側の下部に生じる水平方向の変位を拘束するための閉空間を形成する機能を有する。図３に示すガイド具２８は、Ｕボルトにより構成される。具体的に、Ｕ字状を呈するこのガイド具２８は、両端部がナット３２によって支持具２７の他端部に締結固定されることにより、支持具２７の他端部とによってワイヤロープ１４の無荷重側の下部を取り囲むように配置される。
【００２８】
即ち、ガイド装置２６は、支持具２７の他端部とこの支持具２７の他端部に固定されたガイド具２８とによって上下に開口する閉空間を形成し、この閉空間にワイヤロープ１４の無荷重側の下部を貫通させることによって、この貫通部分に生じる水平方向の変位を上記閉空間内に拘束する。また、ガイド装置２６に形成される上記閉空間は、プーリ２２の繰り出し部分の直下部に配置される。即ち、ガイド装置２６は、ワイヤロープ１４の無荷重側の垂下部分がプーリ２２から鉛直に垂下された場合には、図３に示すように、鉛直投影面上、上記閉空間内に垂下部分が配置される。このため、ガイド装置２６と垂下部分との間には、この垂下部分の周囲に渡って所定の間隙が形成されている。
【００２９】
実施の形態１によれば、エレベータの据付時、エンドレスウィンチ１１及び１２を用いて作業床を昇降させる場合に、ワイヤロープ１４及び１５の各無荷重側を昇降路１内において常時最適な位置に配置することができ、ワイヤロープ１４及び１５が損傷したり、昇降路１内の機器類や梁等に引っ掛かったりすることを確実に防止できるようになる。
【００３０】
即ち、プーリ２２及び２３並びにガイド装置２６は、かご枠４（作業床）の昇降方向を案内するガイドレール３を基準として配置されるため、上下に離れた位置であっても、その位置関係を容易に調節することができる。このため、ワイヤロープ１４及び１５の無荷重側の垂下部分を所望の位置に容易に配置することができ、その振れを最小限に抑えることができるようになる。したがって、エレベータの据付時に、本設或いは仮設の部材が昇降路１内に配置されても、ワイヤロープ１４及び１５がこれらの部材に接触するようなことはない。
【００３１】
また、ワイヤロープ１４及び１５の無荷重側が貫通するガイド装置２６の閉空間が、プーリ２２及び２３の直下部に配置されるため、ガイド装置２６がワイヤロープ１４及び１５から過大な負荷を受けたり、ワイヤロープ１４及び１５の無負荷側がガイド装置２６に過大な力で擦り付けられたりするようなことも生じない。したがって、このような理由によってワイヤロープ１４及び１５やガイド装置２６が損傷することも確実に防止できるようになる。
【００３２】
実施の形態２．
図４はこの発明の実施の形態２におけるエレベータの据付装置を用いてエレベータを据え付ける際の昇降路状態を示す側面図、図５はその正面図、図６は図４に示すＢ部詳細図、図７は図４に示すＢ部平面図である。なお、図４乃至図７におけるガイド装置２６以外の構成は実施の形態１と同様であるため、その詳細な説明は省略する。
【００３３】
図４乃至図７において、ガイド装置２６は、その要部が、例えば、ガイドレール３の下部に設けられたレール固定ベース３３と、水平方向に配置された四角筒状（パイプ状）の支持具３４と、支持具３４をレール固定ベース３３に固定するための保持部材３５と、支持具３４に設けられたガイド具２８とから構成される。上記支持具３４は、ガイド具２８を支持するとともに、このガイド具２８を、昇降路１内の所定位置に配置するための機能を有する。具体的に、支持具３４は、保持部材３５に設けられた押付固定具３６によってレール固定ベース３３に押し付けられることにより、ガイドレール３の下部に固定される。
【００３４】
また、支持具３４は、ガイドレール３の側方への突出量が調整自在となるように、ガイドレール３に設けられている。即ち、支持具３４の上記突出量を調整する場合には、図６及び図７に示す状態から、先ず、押付固定具３６を弛緩させて支持具３４をその長手方向にスライドさせる。そして、支持具３４を所望の位置に配置した後、押付固定具３６を締め付け、支持具３４をレール固定ベース３３に固定する。このような操作によって、ガイド具２８とガイドレール３との距離を調整することができる。なお、ガイド具２８の構成は、実施の形態１と同様である。
【００３５】
この発明の実施の形態２によれば、支持具３４の固定位置を、ワイヤロープ１４の無荷重側の垂下部分とガイドレール３との距離に合わせて適切に調節できる。したがって、例えば、かごの奥行寸法が異なる種々のエレベータに対しても、同じガイド装置２６を利用することが可能となる。また、プーリ２２及び２３の配置を変更した場合にも、容易に対応することができる。
なお、上記ガイド装置２６の機能は、例えば、ガイド具２８を支持具３４の任意の位置に固定することができるように構成しても実現可能である。この構成については、実施の形態４において詳細に説明する。
その他は、実施の形態１と同様の効果を奏する。
【００３６】
実施の形態３．
図８はこの発明の実施の形態３におけるエレベータの据付装置の要部を示す平面図、図９はこの発明の実施の形態３におけるエレベータの据付装置の機能を説明するための図である。なお、実施の形態３においては、ガイド装置２６の支持具３４以外の構成は実施の形態２と同様であるため、その詳細な説明は省略する。
【００３７】
図８及び図９において、ガイド装置２６の支持具３４は、レール固定ベース３３を介してガイドレール３の下部に設けられた第１リンク部材３４ａと、一端部が、ピン３７を介して第１リンク部材３４ａに回動自在に設けられた第２リンク部材３４ｂとから構成される。上記ピン３７は、図８及び図９に示すように、鉛直方向の回動軸を有している。即ち、支持具３４はリンク機構を有しており、ガイド具２８は、図９にその一例を示すように、水平方向にその長手が配置された第１リンク部材３４ａに対して、左右方向にその位置を調節することができるように構成されている。なお、ガイド具２８は第２リンク部材３４ｂの他端部に設けられている。
【００３８】
この発明の実施の形態３によれば、実施の形態２に示す構成と比較して、ガイド具２８の配置の自由度を更に高めることができる。即ち、実施の形態２に示すものでは、鉛直投影面上、ガイド具２８の配置を、支持具３４の長手方向（ガイドレール３の各ガイド部を結ぶ直線と直交する方向）にしか変更することができなかった。しかし、上記構成であれば、更に、支持具３４の左右方向（上記直線方向）にもガイド具２８の位置を調節することが可能になる。したがって、例えば、ワイヤロープ１４及び１５の無荷重側の垂下部分と作業床等の昇降体との間に、所定のクリアランスを確保する場合等にも、容易に対応できる。
その他は、実施の形態２と同様の効果を奏する。
【００３９】
実施の形態４．
図１０はこの発明の実施の形態４におけるエレベータの据付装置の要部を示す平面図、図１１は図１０のＣ部を示す斜視図である。なお、実施の形態４においては、ガイド装置２６のガイド具３８以外の構成は実施の形態２或いは３と同様であるため、その詳細な説明は省略する。図１０及び図１１において、ガイド装置２６のガイド具３８は、その要部が、四角筒状の位置調整具３９と、Ｌ字状を呈する第１棒状部材４０及び第２棒状部材４１とから構成される。
【００４０】
上記ガイド具３８は、ガイドレール３との距離が支持具３４の長手に沿って調整自在となるように、この支持具３４の他端部に設けられている。具体的に、位置調整具３９は、支持具３４よりも一回り大きな四角筒状を呈し、その中空部に支持具３４が配置される。そして、位置調整具３９は、支持具３４に沿ってスライド自在に構成され、押付固定具４２が締め付けられることによって、支持具３４の所望の位置に固定される。
【００４１】
一方、第１棒状部材４０は、その一端部が位置調整具３９の上面に固定され、他端部側がこの位置調整具３９の側方に突出するように配置される。また、第２棒状部材４１は、その一端部が位置調整具３９の下面に固定され、他端部側が、第１棒状部材４０の他端部側と同様に、位置調整具３９の側方に突出するように配置される。即ち、第１棒状部材４０及び第２棒状部材４１は、位置調整具３９に片持ち支持される。また、第２棒状部材４１の他端部は、所定の間隙を有して、第１棒状部材４０の他端部の直下部に配置されている。
【００４２】
したがって、ガイド具３８には、位置調整具３９、第１棒状部材４０、第２棒状部材４１により、鉛直投影面上、閉空間４３が形成される。しかし、この閉空間４３は鉛直投影面上形成されているだけであり、第１棒状部材４０及び第２棒状部材４１の各他端部間には、この閉空間４３に通じる開口が形成されている。したがって、ワイヤロープ１４の無荷重側の下部を、ガイド具３８が支持具３４の他端部に固定された状態のまま、閉空間４３の側方から、即ち第１棒状部材４０及び第２棒状部材４１の各他端部間から閉空間４３内に配置することができる。
【００４３】
この発明の実施の形態４によれば、ガイド具３８を支持具３４の長手に沿ってスライドさせ、任意の位置に固定することができるため、実施の形態２と同様の効果を奏することが可能となる。また、ガイド具３８が支持具３４の他端部に固定された状態のまま、ワイヤロープ１４の無荷重側の下部を閉空間４３内に配置することができるため、作業性を大幅に向上させることが可能となる。
その他は、実施の形態２及び３と同様の効果を奏する。
【図面の簡単な説明】
【００４４】
【図１】この発明の実施の形態１におけるエレベータの据付装置を用いてエレベータを据え付ける際の昇降路状態を示す側面図である。
【図２】この発明の実施の形態１におけるエレベータの据付装置を用いてエレベータを据え付ける際の昇降路状態を示す正面図である。
【図３】図１に示すＡ部平面図である。
【図４】この発明の実施の形態２におけるエレベータの据付装置を用いてエレベータを据え付ける際の昇降路状態を示す側面図である。
【図５】この発明の実施の形態２におけるエレベータの据付装置を用いてエレベータを据え付ける際の昇降路状態を示す正面図である。
【図６】図４に示すＢ部詳細図である。
【図７】図４に示すＢ部平面図である。
【図８】この発明の実施の形態３におけるエレベータの据付装置の要部を示す平面図である。
【図９】この発明の実施の形態３におけるエレベータの据付装置の機能を説明するための図である。
【図１０】この発明の実施の形態４におけるエレベータの据付装置の要部を示す平面図である。
【図１１】図１０のＣ部を示す斜視図である。
【図１２】従来のエレベータの据付装置を用いてエレベータを据え付ける際の昇降路状態を示す正面図である。
【図１３】図１２のＤ部を示す斜視図である。
【符号の説明】
【００４５】
１  昇降路
２  機械室
３  ガイドレール
４  かご枠
５  上梁
６  下梁
７  仮設作業床
８  かご床
９、１０  手摺装置
１１、１２  エンドレスウィンチ
１３  支持台
１４、１５  ワイヤロープ
１６  本設巻上機
１７  機械台
１８  コントローラ
１９  制御盤
２０  制御ケーブル
２１  受電盤
２２、２３  プーリ
２４  重り
２５  ピット底面
２６、４５  ガイド装置
２７、３４  支持具
２８、３８、４８  ガイド具
２９  レールクリップ
３０  ボルト
３１、３２  ナット
３３  レール固定ベース
３４ａ  第１リンク部材
３４ｂ  第２リンク部材
３５  保持部材
３６、４２  押付固定具
３７  ピン
３９  位置調整具
４０  第１棒状部材
４１  第２棒状部材
４３  閉空間
４４  昇降路壁
４６  アンカーボルト
４７  ベース板
【図１】
2009173386.tif 000003
【図２】
2009173386.tif 000004
【図３】
2009173386.tif 000005
【図４】
2009173386.tif 000006
【図５】
2009173386.tif 000007
【図６】
2009173386.tif 000008
【図７】
2009173386.tif 000009
【図８】
2009173386.tif 000010
【図９】
2009173386.tif 000011
【図１０】
2009173386.tif 000012
【図１１】
2009173386.tif 000013
【図１２】
2009173386.tif 000014
【図１３】
2009173386.tif 000015